【手続補正書】
【提出日】平成19年3月2日(2007.3.2)
【手続補正１】
【補正対象書類名】明細書
【補正対象項目名】発明の名称
【補正方法】変更
【補正の内容】
【発明の名称】通信装置、通信方法及び媒体
【手続補正２】
【補正対象書類名】明細書
【補正対象項目名】特許請求の範囲
【補正方法】変更
【補正の内容】
【特許請求の範囲】
【請求項１】
少なくともアプリケーション層とハードウェア制御層に対して所望のメソッドを指示可能な指示手段と、
上記指示手段により指示されたメソッドを要求する要求信号を送信する要求信号送信手段と、
上記要求信号送信手段に応じたメソッドにより処理されたコンテンツデータを受信する受信手段と、
上記ハードウェア制御層に関わるメソッドを選択的に実行可能なハードウェア制御手段と、
上記指示手段の指示に応じて、上記ハードウェア制御手段が上記指示されたメソッドを実行するように制御する制御手段と
を備える通信装置。
【請求項２】
上記ハードウェア制御手段は、１クロック毎に入力される命令に応じて、少なくとも上記制御手段に供給する電力を制御するメソッドを有することを特徴とする請求項１記載の通信装置。
【請求項３】
上記ハードウェア制御手段と上記制御手段は１チップで構成され、１クロック毎に入力される命令に応じて、上記ハードウェア制御手段のメソッドが上記制御手段の機能を選択的にスリープ状態にすることを特徴とする請求項２記載の通信装置。
【請求項４】
上記受信手段は、上記ハードウェア制御手段が記憶する複数のメソッドの各々の利用料金情報に基づいて、利用料金請求のための請求信号を受信することを特徴とする請求項１記載の通信装置。
【請求項５】
外部からのアプリケーション層のメソッドの実行を要求する要求信号を受信する受信手段と、
アプリケーション層に関わるメソッドを選択的に実行し、入力されるコンテンツデータに対して信号処理する信号処理手段と、
上記受信される要求信号に応じて、上記信号処理手段が上記指示されたメソッドを実行するように制御する制御手段と、
上記信号処理されたコンテンツデータを外部に送信する送信手段と
を備える通信装置。
【請求項６】
上記信号処理手段は、複数のメソッドを記憶する記憶手段を備え、
上記制御手段は、上記要求信号に応じて、一のメソッド上記記憶手段から読み出すと共に実行することを特徴とする請求項５記載の通信装置。
【請求項７】
上記信号処理手段は、上記入力されるコンテンツデータを圧縮処理する複数の圧縮アルゴリズムに対応する複数のメソッドを有し、上記制御手段による制御に基づいてユーザ所望の圧縮アルゴリズムにより、上記コンテンツデータを圧縮処理することを特徴とする請求項６記載の通信装置。
【請求項８】
上記信号処理手段は、コンテンツデータとして入力される画像データから注目画素に対応する注目画像ブロックを抽出し、上記注目画像ブロックに含まれる画素の画素値より上記注目画素をクラス分類し、予め上記クラス毎に演算され記憶された複数の係数と、上記注目画素に対応する推定用画像ブロックに含まれる各画素の画素値との線形一次結合により上記注目画素の推定画素値を出力し、上記注目画素の画素値から上記推定画素値を減算した値を符号化するような圧縮アルゴリズムであるメソッドを備えることを特徴とする請求項６記載の通信装置。
【請求項９】
上記信号処理手段は、コンテンツデータとして入力される動画像データの現フレームを少なくとも一以上のオブジェクト画像に分割し、上記分割されたオブジェクト画像内のオブジェクトの動きベクトルを、上記現フレームと過去フレームとにより演算し、上記演算された動きベクトルを出力するような圧縮アルゴリズムであるメソッドを備えることを特徴とする請求項７記載の通信装置。
【請求項１０】
上記信号処理手段は、上記要求信号により指示された金額情報に応じて、上記信号処理手段から自動的に上記複数の圧縮アルゴリズムに対応する複数のメソッドから一のメソッドを選択するようなメソッドを有することを特徴とする請求項７記載の通信装置。
【請求項１１】
上記一のメソッドを選択するメソッドは、上記複数の圧縮アルゴリズムに対応する複数のメソッドから最も利用料金が安価なメソッドを実行し、上記安価なメソッドで圧縮された上記コンテンツデータを復号した復号データと、原コンテンツデータとの差分値を演算し、上記差分値が閾値以下のときに上記圧縮されたコンテンツデータを出力することを特徴とする請求項１０記載の通信装置。
【請求項１２】
上記信号処理手段は、上記入力されるコンテンツデータとしての画像データの特徴量に応じて、上記信号処理手段から自動的に上記複数の圧縮アルゴリズムに対応する複数のメソッドから一のメソッドを選択するようなメソッドを有することを特徴とする請求項７記載の通信装置。
【請求項１３】
上記信号処理手段が有する上記複数のメソッドから一のメソッドを選択するメソッドは、上記入力されるコンテンツデータとしての画像データの特徴量としてアクティビティを検出し、上記検出されるアクティビティが高いとき、上記複数のメソッドからより高度な圧縮アルゴリズムに対応するメソッドを選択することを特徴とする請求項１２記載の通信装置。
【請求項１４】
上記信号処理手段は、上記要求信号により指示される所定位置に対応する上記コンテンツデータとしての画像データ内のオブジェクト画像の特徴量に応じて、上記ユーザの嗜好を推定し、当該推定されたユーザの嗜好に基づいて上記画像データから上記ユーザが注目するオブジェクト画像を自動的に抽出し、当該抽出されたオブジェクト画像に対する圧縮率を他のオブジェクト画像よりも低くなるように上記画像データを圧縮するメソッドを有することを特徴とする請求項７記載の通信装置。
【請求項１５】
更に、上記信号処理手段が記憶する複数のメソッドの各々の利用料金情報を記憶する利用料金記憶手段と、
上記利用料金記憶手段に基づいて、上記要求信号を送信したユーザへの課金量を示す金額情報を演算すると共に、当該金額情報を出力する演算手段と
を備えることを特徴とする請求項７記載の通信装置。
【請求項１６】
上記演算手段は、上記利用料金記憶手段に基づいて、上記複数のメソッドから一のメソッドを自動的に選択する自動選択メソッドの利用料金と、当該自動選択メソッドが選択した圧縮アルゴリズムに対応するメソッドの利用料金との和により上記金額情報を演算することを特徴とする請求項１５記載の通信装置。
【請求項１７】
上記演算手段は、予め記憶される上記ユーザの口座番号、上記メソッドによるサービスを提供する提供者の口座番号、及び上記金額情報を、外部の決済センタに送信することを特徴とする請求項１２記載の通信装置。
【請求項１８】
少なくともアプリケーション層とハードウェア制御層に対して所望のメソッドを指示し、
上記指示されたメソッドを要求する要求信号を送信し、
上記要求信号に応じたメソッドにより処理されたコンテンツデータを受信し、
ハードウェア制御手段が上記指示されたメソッドを実行し、本装置の内部回路への電力供給を制御することを特徴とする通信方法。
【請求項１９】
外部からのアプリケーション層のメソッドの実行を要求する要求信号を受信し、
上記受信される要求信号に応じて、上記アプリケーション層に関わるメソッドを選択的に実行し、入力されるコンテンツデータに対して信号処理し、
上記信号処理されたコンテンツデータを外部に送信することを特徴とする通信方法。
【請求項２０】
少なくともアプリケーション層とハードウェア制御層に対して所望のメソッドを指示するステップと、
上記指示されたメソッドを要求する要求信号を送信するステップと、
上記要求信号に応じたメソッドにより処理されたコンテンツデータを受信するステップと、
ハードウェア制御手段が上記指示されたメソッドを実行し、本装置の内部回路への電力供給を制御するステップと
を含むプログラムを情報処理装置に実行させる媒体。
【請求項２１】
外部からのアプリケーション層のメソッドの実行を要求する要求信号を受信するステップと、
上記受信される要求信号に応じて、上記アプリケーション層に関わるメソッドを選択的に実行し、入力されるコンテンツデータに対して信号処理するステップと、
上記信号処理されたコンテンツデータを外部に送信するステップと
を含むプログラムを情報処理装置に実行させる媒体。
【手続補正３】
【補正対象書類名】明細書
【補正対象項目名】０００１
【補正方法】変更
【補正の内容】
【０００１】
【発明の属する技術分野】
本発明は、
送受信されたデータに応じた例えば課金を行う送受信システムを構成する送信装置及びその方法、並びに媒体に関する。
【手続補正４】
【補正対象書類名】明細書
【補正対象項目名】０００７
【補正方法】変更
【補正の内容】
【０００７】
そこで、本発明はこのような状況に鑑みてなされたものであり、利用者の様々な要求に応じたデータ提供及び課金（すなわち利用者が受けるメリットに応じた課金）を可能にすると共に、データ提供者にとってもより実情に即した満足できる課金を実現可能とする送信装置及び方法、媒体を提供することを目的とする。
【手続補正５】
【補正対象書類名】明細書
【補正対象項目名】０００８
【補正方法】変更
【補正の内容】
【０００８】
【課題を解決するための手段】
本発明に係る通信装置は、少なくともアプリケーション層とハードウェア制御層に対して所望のメソッドを指示可能な指示手段と、上記指示手段により指示されたメソッドを要求する要求信号を送信する要求信号送信手段と、上記要求信号送信手段に応じたメソッドにより処理されたコンテンツデータを受信する受信手段と、上記ハードウェア制御層に関わるメソッドを選択的に実行可能なハードウェア制御手段と、上記指示手段の指示に応じて、上記ハードウェア制御手段が上記指示されたメソッドを実行するように制御する制御手段とを備える。
【手続補正６】
【補正対象書類名】明細書
【補正対象項目名】０００９
【補正方法】変更
【補正の内容】
【０００９】
また、本発明に係る通信装置は、外部からのアプリケーション層のメソッドの実行を要求する要求信号を受信する受信手段と、アプリケーション層に関わるメソッドを選択的に実行し、入力されるコンテンツデータに対して信号処理する信号処理手段と、上記受信される要求信号に応じて、上記信号処理手段が上記指示されたメソッドを実行するように制御する制御手段と、上記信号処理されたコンテンツデータを外部に送信する送信手段とを備える。
【手続補正７】
【補正対象書類名】明細書
【補正対象項目名】００１０
【補正方法】変更
【補正の内容】
【００１０】
さらに、本発明に係る通信方法は、少なくともアプリケーション層とハードウェア制御層に対して所望のメソッドを指示し、上記指示されたメソッドを要求する要求信号を送信し、上記要求信号に応じたメソッドにより処理されたコンテンツデータを受信し、ハードウェア制御手段が上記指示されたメソッドを実行し、本装置の内部回路への電力供給を制御する。
【手続補正８】
【補正対象書類名】明細書
【補正対象項目名】００１１
【補正方法】変更
【補正の内容】
【００１１】
さらにまた、本発明に係る通信方法は、外部からのアプリケーション層のメソッドの実行を要求する要求信号を受信し、上記受信される要求信号に応じて、上記アプリケーション層に関わるメソッドを選択的に実行し、入力されるコンテンツデータに対して信号処理し、上記信号処理されたコンテンツデータを外部に送信する。
【手続補正９】
【補正対象書類名】明細書
【補正対象項目名】００１２
【補正方法】変更
【補正の内容】
【００１２】
また、本発明は、少なくともアプリケーション層とハードウェア制御層に対して所望のメソッドを指示するステップと、上記指示されたメソッドを要求する要求信号を送信するステップと、上記要求信号に応じたメソッドにより処理されたコンテンツデータを受信するステップと、ハードウェア制御手段が上記指示されたメソッドを実行し、本装置の内部回路への電力供給を制御するステップとを含むプログラムを情報処理装置に実行させる媒体である。
【手続補正１０】
【補正対象書類名】明細書
【補正対象項目名】００１３
【補正方法】変更
【補正の内容】
【００１３】
さらに、本発明は、外部からのアプリケーション層のメソッドの実行を要求する要求信号を受信するステップと、上記受信される要求信号に応じて、上記アプリケーション層に関わるメソッドを選択的に実行し、入力されるコンテンツデータに対して信号処理するステップと、上記信号処理されたコンテンツデータを外部に送信するステップとを含むプログラムを情報処理装置に実行させる媒体である。
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】削除
【補正の内容】
【手続補正２７】
【補正対象書類名】明細書
【補正対象項目名】００３０
【補正方法】削除
【補正の内容】
【手続補正２８】
【補正対象書類名】明細書
【補正対象項目名】００３１
【補正方法】削除
【補正の内容】
【手続補正２９】
【補正対象書類名】明細書
【補正対象項目名】００３２
【補正方法】削除
【補正の内容】
【手続補正３０】
【補正対象書類名】明細書
【補正対象項目名】００３３
【補正方法】削除
【補正の内容】
【手続補正３１】
【補正対象書類名】明細書
【補正対象項目名】００３４
【補正方法】削除
【補正の内容】
【手続補正３２】
【補正対象書類名】明細書
【補正対象項目名】００３５
【補正方法】削除
【補正の内容】
【手続補正３３】
【補正対象書類名】明細書
【補正対象項目名】００３６
【補正方法】削除
【補正の内容】
【手続補正３４】
【補正対象書類名】明細書
【補正対象項目名】００３７
【補正方法】削除
【補正の内容】
【手続補正３５】
【補正対象書類名】明細書
【補正対象項目名】００３８
【補正方法】削除
【補正の内容】
【手続補正３６】
【補正対象書類名】明細書
【補正対象項目名】００３９
【補正方法】削除
【補正の内容】
【手続補正３７】
【補正対象書類名】明細書
【補正対象項目名】００４０
【補正方法】削除
【補正の内容】
【手続補正３８】
【補正対象書類名】明細書
【補正対象項目名】００４１
【補正方法】削除
【補正の内容】
【手続補正３９】
【補正対象書類名】明細書
【補正対象項目名】００４２
【補正方法】削除
【補正の内容】
【手続補正４０】
【補正対象書類名】明細書
【補正対象項目名】００４３
【補正方法】削除
【補正の内容】